(57)【要約】【課題】１或いは複数の第１仕切り板３と１或いは複数の第２仕切り板４とを互いに格子状に組み合わせて構成される仕切りアセンブリにおいて、仕切り板の脱落を防止する。【解決手段】本発明に係る仕切りアセンブリにおいて、第１仕切り板３及び第２仕切り板４はそれぞれ帯板状の板体31、41を具え、両仕切り板３、４の板体31、41にはそれぞれ、板体の長手方向の少なくとも１箇所に切り欠きが形成され、両仕切り板３、４の切り欠きが互いに噛み合っている。ここで、第１仕切り板３の切り欠きは、板体31の一方の端縁を略Ｖ字状に切り開いた切欠き口32と、該切欠き口32と連続する切り込みとを有し、該切り込みは、切欠き口32の最も深い位置から板体31の長手方向とは直交する方向に切り込んだ第１切り込み部35と、該第１切り込み部35の最も深い位置から板体31の長手方向へ切り込んだ第２切り込み部36とを有している。【選択図】図４
2014144786.tif 000002
【特許請求の範囲】
【請求項１】
梱包箱の内部空間を複数の小空間に仕切るべく、１或いは複数の第１仕切り板と１或いは複数の第２仕切り板とを互いに格子状に組み合わせて構成され、第１仕切り板及び第２仕切り板はそれぞれ帯板状の板体を具え、両仕切り板の板体にはそれぞれ、板体の長手方向の少なくとも１箇所に、板体の長手方向に延びる一方の端縁から他方の端縁へ向かって切り欠いた切り欠きが形成され、両仕切り板の切り欠きを互いに噛み合わせることによって、両仕切り板が互いに嵌合している仕切りアセンブリにおいて、
前記第１仕切り板の板体に形成された切り欠きは、板体の一方の端縁を略Ｖ字状に切り開いた切欠き口と、該切欠き口と連続する切り込みとを有し、該切り込みは、前記切欠き口の最も深い位置から板体の長手方向とは直交する方向に切り込んだ第１切り込み部と、該第１切り込み部の最も深い位置から板体の長手方向へ切り込んだ第２切り込み部とを有し、
前記第１仕切り板の切欠き口は、板体の長手方向の開口幅が第２仕切り板の厚さよりも大きく形成されると共に、第１切り込み部は、板体の長手方向の開口幅が零以上であって且つ第２仕切り板の厚さよりも小さく形成されていることを特徴とする仕切りアセンブリ。
【請求項２】
第２仕切り板に形成されている切り欠きは、第１仕切り板の厚さと同等若しくは略同等の幅を有している請求項１に記載の仕切りアセンブリ。
【請求項３】
前記第１仕切り板の切欠き口は、前記第１切り込み部の延長線を中心として該延長線の両側、若しくは片側を斜め方向に切り欠くことによって形成されている請求項１又は請求項２に記載の仕切りアセンブリ。
【請求項４】
第１仕切り板の板体には、前記切欠き口と切り込みによって板体の側面よりも外側へ弾性変形可能な舌片が形成されており、該舌片の先端部が弾性復帰力によって第２仕切り板の板体の側面に圧接されている請求項１乃至請求項３の何れかに記載の仕切りアセンブリ。
【請求項５】
第１仕切り板には、板体の一方の端縁から該端縁に対して垂直方向に延びて前記第２切り込み部の先端若しくはその付近に達する折曲げ線加工が形成されており、該折曲げ線加工に沿って前記舌片が折れ曲がっている請求項４に記載の仕切りアセンブリ。
【発明の詳細な説明】
【技術分野】
【０００１】
本発明は、梱包箱の内部空間を複数の小空間に仕切るための仕切りアセンブリに関するものである。
【背景技術】
【０００２】
従来、種々の構成を有する仕切りアセンブリが提案されており(特許文献１、２)、例えば図１０に示す如く、複数の第１仕切り板(６)と複数の第２仕切り板(７)とを互いに格子状に組み合わせて構成される仕切りアセンブリ(５)が用いられている。
【０００３】
該仕切りアセンブリ(５)を構成する第１仕切り板(６)は、図１２に示す如く帯板状の板体(61)を具え、該板体(61)には、板体(61)の長手方向の複数箇所に、板体(61)の長手方向に延びる一方の端縁から他方の端縁へ向かって切り欠いた切り欠き(62)が形成されている。該切り欠き(62)は、第２仕切り板(７)の厚さと同等の開口幅を有している。
【０００４】
又、第２仕切り板(７)は、図１１に示す如く帯板状の板体(71)を具え、該板体(71)には、板体(71)の長手方向の複数箇所に、板体(71)の長手方向に延びる一方の端縁から他方の端縁へ向かって一定の幅で切り欠いた切り欠き(72)が形成されている。該切り欠き(72)は、第１仕切り板(６)の厚さと同等の開口幅を有している。
【０００５】
そして、複数の第１仕切り板(６)の各切り欠き(62)と複数の第２仕切り板(７)の各切り欠き(72)とを互いに噛み合わせることによって、図１０の如く両仕切り板(６)(７)が互いに嵌合している。
【先行技術文献】
【特許文献】
【０００６】
【特許文献１】特表２００６−５１６５１５号公報
【特許文献２】特開２００２−１７９０７１号公報
【発明の概要】
【発明が解決しようとする課題】
【０００７】
しかしながら、この様な仕切りアセンブリにおいては、組立・分解を繰り返すことにより切り欠きの幅が徐々に拡大して、第１仕切り板と第２仕切り板との噛み合いが緩くなり、この結果、例えば仕切りアセンブリ単独で運搬するとき、直接に手で把持していない仕切り板が脱落する問題があった。
【０００８】
そこで本発明の目的は、運搬時等に仕切り板が脱落し難い仕切りアセンブリを提供することである。
【課題を解決するための手段】
【０００９】
本発明に係る仕切りアセンブリは、梱包箱(１)の内部空間を複数の小空間に仕切るべく、１或いは複数の第１仕切り板(３)と１或いは複数の第２仕切り板(４)とを互いに格子状に組み合わせて構成される。
第１仕切り板(３)及び第２仕切り板(４)はそれぞれ帯板状の板体(31)(41)を具え、両仕切り板(３)(４)の板体(31)(41)にはそれぞれ、板体(31)(41)の長手方向の少なくとも１箇所に、板体(31)(41)の長手方向に延びる一方の端縁から他方の端縁へ向かって切り欠いた切り欠きが形成され、両仕切り板(３)(４)の切り欠きを互いに噛み合わせることによって、両仕切り板(３)(４)が互いに嵌合している。
【００１０】
ここで、前記第１仕切り板(３)の板体(31)に形成された切り欠きは、板体(31)の一方の端縁(3a)を略Ｖ字状に切り開いた切欠き口(32)と、該切欠き口(32)と連続する切り込み(33)とを有し、該切り込み(33)は、前記切欠き口(32)の最も深い位置から板体(31)の長手方向とは直交する方向に切り込んだ第１切り込み部(35)と、該第１切り込み部(35)の最も深い位置から板体(31)の長手方向へ切り込んだ第２切り込み部(36)とを有している。
【００１１】
前記第１仕切り板(３)の切欠き口(32)は、板体(31)の長手方向の開口幅Ｗが第２仕切り板(４)の厚さよりも大きく形成されると共に、第１切り込み部(35)は、板体(31)の長手方向の開口幅Ｓが零以上であって、且つ第２仕切り板(４)の厚さよりも小さく形成されている。
【００１２】
上記本発明の仕切りアセンブリによれば、第１仕切り板(３)に対して第２仕切り板(４)を嵌合させる過程で、先ず、第２仕切り板(４)の切り欠き(42)の最も深い位置に形成されている底面(42a)が、第１仕切り板(３)の切欠き口(32)の開口面を押圧する。ここで、該切欠き口(32)の開口面は、板体(31)の長手方向に対して傾斜しているため、該開口面のガイドによって、第２仕切り板(４)の板体(41)が第１仕切り板(３)の第１切り込み部(35)へ押し入り、これに伴って、板体(41)の切欠き口(32)と切り込み(33)によって包囲される一部の領域が、舌片(30)となって外側へ折り曲げられることになる。
尚、舌片(30)の折り曲げは、第１仕切り板(３)の板体(31)の弾性範囲内で行なわれる。
【００１３】
そして、更に第２仕切り板(４)を第１仕切り板(３)へ押し込むことによって、第２仕切り板(４)の板体(41)が第１仕切り板(３)の第１切り込み部(35)の最も深い位置まで押し込まれると共に、第１仕切り板(３)の板体(31)が第２仕切り板(４)の切り欠き(42)の最も深い位置まで押し込まれ、第１仕切り板(３)と第２仕切り板(４)とが互いに嵌合することになる。
【００１４】
この状態で、第１仕切り板(３)の舌片(30)は、その弾性により元の位置に復帰せんとし、この結果、舌片(30)の先端部が第２仕切り板(４)の板体(41)の側面に圧接されることになる。
従って、一方の仕切り板から他方の仕切り板が脱落せんとしても、第１仕切り板(３)の舌片(30)の先端部と第２仕切り板(４)の板体(41)の側面との間に生じる摩擦抵抗力により、他方の仕切り板の脱落が防止される。
【００１５】
具体的態様において、第１仕切り板(３)には、板体(31)の一方の端縁(3a)から該端縁(3a)に対して垂直方向に延びて前記第２切り込み部(36)の先端若しくはその付近に達する折曲げ線加工(34)が形成されている。
【００１６】
該具体的態様によれば、第１仕切り板(３)に対して第２仕切り板(４)を嵌合させる過程で、第１仕切り板(３)の舌片(30)は折曲げ線加工(34)に沿って折れ曲がることになる。
【発明の効果】
【００１７】
本発明に係る仕切りアセンブリによれば、第１仕切り板(３)と第２仕切り板(４)の分解・組立を繰り返したとしても、第１仕切り板(３)の舌片(30)の弾性復帰力は大きく低下することがないので、両仕切り板(３)(４)の間の摩擦抵抗による連結状態は維持され、例えば仕切りアセンブリ単独での運搬時に一方の仕切り板から他方の仕切り板が脱落する虞は殆どない。
【図面の簡単な説明】
【００１８】
【図１】図１は、本発明の一実施形態である仕切りアセンブリの斜視図である。
【図２】図２は、該仕切りアセンブリを構成する第２仕切り板の側面図である。
【図３】図３は、該仕切りアセンブリを構成する第１仕切り板の側面図である。
【図４】図４は、第１仕切り板に第２仕切り板を嵌合させる過程の第１段階を示す斜視図である。
【図５】図５は、第１仕切り板に第２仕切り板を嵌合させる過程の第２段階を示す斜視図である。
【図６】図６は、第１仕切り板に第２仕切り板を嵌合させる過程の第３段階を示す斜視図である。
【図７】図７は、第１仕切り板に第２仕切り板を嵌合させる過程の第４段階を示す斜視図である。
【図８】図８は、第１仕切り板と第２仕切り板の嵌合状態を説明する平面図である。
【図９】図９は、第１仕切り板の他の構成例を示す側面図である。
【図１０】図１０は、従来の仕切りアセンブリを示す斜視図である。
【図１１】図１１は、該仕切りアセンブリを構成する第２仕切り板の側面図である。
【図１２】図１２は、該仕切りアセンブリを構成する第１仕切り板の側面図である。
【発明を実施するための形態】
【００１９】
以下、本発明の実施の形態につき、図面に沿って具体的に説明する。
本発明の一実施形態である仕切りアセンブリ(２)は、図１に示す如く梱包箱(１)の内部空間を複数の小空間に仕切るものであって、それぞれ段ボール製の複数の第１仕切り板(３)と複数の第２仕切り板(４)とを互いに格子状に組み合わせて構成されている。
【００２０】
第２仕切り板(４)は、図２に示す如く帯板状の板体(41)を具え、該板体(41)の長手方向の６箇所にはそれぞれ、長手方向に延びる一方の端縁(4b)から他方の端縁(4a)へ向かって一定の幅で切り欠いた切り欠き(42)が形成されている。
各切り欠き(42)の幅Ｂは、第１仕切り板(３)の厚さと同等に形成されている。
【００２１】
第１仕切り板(３)は、図３に示す如く帯板状の板体(31)を具え、該板体(31)の長手方向の３箇所にはそれぞれ、長手方向に延びる一方の端縁(3a)を略Ｖ字状に切り開いた切欠き口(32)と、該切欠き口(32)と連続する切り込み(33)とが形成されている。
切欠き口(32)の深さは例えば１０ｍｍに設定される。
尚、切欠き口(32)の開口面の傾斜は、後述するガイドの役割を考慮して、好適な角度(例えば３０度〜６０度)に設定される。
【００２２】
第１仕切り板(３)の切り込み(33)は、切欠き口(32)の最も深い位置から板体(31)の他方の端縁(3b)に向かって長手方向とは直交する方向に切り込んだ第１切り込み部(35)と、該第１切り込み部(35)の最も低い位置から板体(31)の長手方向へ切り込んだ第２切り込み部(36)とを有している。
【００２３】
そして、中央の切欠き口(32)は、第１切り込み部(35)の延長線を中心として該延長線の両側にそれぞれ形成されると共に、中央の切り込み(33)は更に、第２切り込み部(36)の先端から半円状に延びる第３切り込み部(37)を有している。
該第３切り込み部(37)の大きさによって、後述する弾性復帰力の調整が可能である。
【００２４】
更に第１仕切り板(３)の板体(31)には、一方の端縁(3a)から切り込み(33)の先端まで第１切り込み部(35)と平行に延びる折曲げ線加工(34)が施されている。折曲げ線加工(34)としては、例えばミシン目加工や、プレスによって薄肉部を形成する加工を採用することが出来る。
【００２５】
これによって、第１仕切り板(３)には、切欠き口(32)、切り込み(33)及び折曲げ線加工(34)によって包囲される舌片(30)が形成され、該舌片(30)は、折曲げ線加工(34)に沿って折れ曲がることが容易なものとなる。
【００２６】
ここで、第１仕切り板(３)の切欠き口(32)は、第２仕切り板(４)の厚さ(例えば３ｍｍ)よりも大きな開口幅Ｗ(例えば５ｍｍ)に形成されている。
又、第１仕切り板(３)の切り込み(33)は、板体(31)の切断加工時に１枚の薄い切断刃で切断することにより、略零の幅に形成されている。
【００２７】
上記の第１仕切り板(３)と第２仕切り板(４)を互いに組み合わせることによって仕切りアセンブリ(２)を組み立てる作業では、図４〜図７に示す様に、第１仕切り板(３)に対して第２仕切り板(４)を嵌合させる。
具体的には、先ず、図４及び図５に示す如く、第１仕切り板(３)上に第２仕切り板(４)を直交する向きに配置し、第２仕切り板(４)の切り欠き(42)の最も深い位置に形成されている底面(42a)を、第１仕切り板(３)の切欠き口(32)の開口面に当接させる。
【００２８】
この状態で、第２仕切り板(４)を押し下げると、切欠き口(32)の開口面によるガイドによって、第２仕切り板(４)の板体(41)が第１仕切り板(３)の第１切り込み部(35)へ押し入り、これに伴って、図６の如く舌片(30)が板体(31)の側面から外側へ押し開かれ、該舌片(30)の先端部が弾性復帰力によって第２仕切り板(４)の板体(41)の側面に圧接されることになる。
【００２９】
そして、更に第２仕切り板(４)を押し下げると、図７に示す如く、第２仕切り板(４)の板体(41)が第１仕切り板(３)の第１切り込み部(35)の最も深い位置まで押し込まれると共に、第１仕切り板(３)の板体(31)が第２仕切り板(４)の切り欠き(42)の最も深い位置まで押し込まれ、第１仕切り板(３)と第２仕切り板(４)とが互いに嵌合することになる。
【００３０】
この状態で、図８に示す様に、第１仕切り板(３)の舌片(30)の先端部が弾性復帰力Ｆによって第２仕切り板(４)の板体(41)の側面に圧接されているため、第１仕切り板(３)が重力などにより第２仕切り板(４)から脱落せんとしても、第１仕切り板(３)の舌片(30)の先端部と第２仕切り板(４)の板体(41)の側面との間に生じる摩擦抵抗力により、第１仕切り板(３)の脱落が防止される。
【００３１】
上記仕切りアセンブリ(２)によれば、第１仕切り板(３)と第２仕切り板(４)の分解・組立を繰り返したとしても、第１仕切り板(３)の舌片(30)の弾性復帰力は大きく低下することがないので、両仕切り板(３)(４)の間の摩擦抵抗による連結状態は維持され、例えば仕切りアセンブリ単独での運搬時に第２仕切り板(４)から第１仕切り板(３)が脱落する虞は殆どない。
【００３２】
又、第１仕切り板(３)の切欠き口(32)、切り込み(33)及び折曲げ線加工(34)は、板体(31)の打ち抜き成形時に同時に形成することが出来るので、コストアップを招くことはない。
【００３３】
尚、本発明の各部構成は上記実施の形態に限らず、特許請求の範囲に記載の技術的範囲内で種々の変形が可能である。
例えば、第１仕切り板(３)の第１切り込み部(35)の開口幅は略零に限定されるものではなく、第２仕切り板(４)の厚さ(例えば３ｍｍ)よりも小さい範囲で、図９に示す如くある程度の幅Ｓ(例えば１〜２ｍｍ)に形成することが出来る。
【符号の説明】
【００３４】
(１)  梱包箱
(２)  仕切りアセンブリ
(３)  第１仕切り板
(31)  板体
(32)  切欠き口
(33)  切り込み
(34)  折曲げ線加工
(35)  第１切り込み部
(36)  第２切り込み部
(37)  第３切り込み部
(30)  舌片
(４)  第２仕切り板
(41)  板体
(42)  切り欠き
【図１】
2014144786.tif 000003
【図２】
2014144786.tif 000004
【図３】
2014144786.tif 000005
【図４】
2014144786.tif 000006
【図５】
2014144786.tif 000007
【図６】
2014144786.tif 000008
【図７】
2014144786.tif 000009
【図８】
2014144786.tif 000010
【図９】
2014144786.tif 000011
【図１０】
2014144786.tif 000012
【図１１】
2014144786.tif 000013
【図１２】
2014144786.tif 000014